(57)【特許請求の範囲】
【請求項１】
バーナボディに取り付けた金属ブロック製のバーナヘッドの内部の環状の分布室から外周へ放射状に延びてその外端を炎口に構成したガス通路を有するコンロバーナに於いて、該バーナヘッドを、該ガス通路の上方を開放したバーナヘッド本体とこれに載置されて該ガス通路の上方の開放部を塞ぐバーナキャップでとで構成し、該バーナヘッド本体の外周部の全周に、その炎口の下方から外周方向へ進出する進出部を設けてその上面に外周方向へ向かって下方に傾斜した傾斜面を形成し、該傾斜面に各炎口の外周方向に対向する位置のみに該炎口から噴出する空気混合ガスの流れを押し上げる突起を一体成形で形成したことを特徴とするコンロバーナ。
【請求項２】
上記バーナキャップに、上記突起の上方を覆う庇部を設けたことを特徴とする請求項１記載のコンロバーナ。
【発明の詳細な説明】
【０００１】
【発明の属する技術分野】
本発明は、ガスコンロに使用されるコンロバーナに関する。
【０００２】
【従来の技術】
この種のコンロバーナとして、例えば図１に示したような、バーナボディａに円筒形のバーナヘッドｂを取り付け、該バーナヘッドｂの内部には該バーナボディａ内に連なる環状の分布室ｃと、該バーナヘッドｂの外周へ該分布室ｃから放射状に延びるガス通路ｄを形成し、該ガス通路ｄの外端を炎口ｅに構成したものが知られている。該バーナボディａに供給される混合ガスの量が減少すると、炎口ｅの炎が不安定になり消える不都合があるので、これを防止するため炎口ｅの外周側下方のバーナボディａに板金製のＬ字突起ｆを設けることも行われている（実開平３−１０４６１３号明細書）。
【０００３】
【発明が解決しようとする課題】
上記したＬ字突起ｆを設けることで炎口ｅから噴出した混合ガスが該突起ｆにより減速され、リフト炎の発生を抑制できる。また、混合ガスの量が少ない弱火力のときには、該突起ｆにより炎口直近への２次空気の供給を抑え、炎口ｅと突起ｆとの間のガス濃度の濃い混合気により安定した火炎が保たれ、絞り性能を向上させることができる。しかし、該Ｌ字突起ｆは、取り外しできないバーナボディａに設けられているため、これに汚れが付着した場合の清掃が容易でなく、また、板金製であって溶接作業を伴うので製作も容易でなく、衝撃による変形を生じやすく耐久性も乏しいという不都合があった。
【０００４】
本発明は、清掃が容易で簡単に製作でき、耐久性も良好でリフト炎の発生を抑え、また、弱火力時の火炎が安定する絞り性能の良好なコンロバーナを提供することを目的とするものである。
【０００５】
【課題を解決するための手段】
本発明では、上記の目的を達成すべく、バーナボディに取り付けた金属ブロック製のバーナヘッドの内部の環状の分布室から外周へ放射状に延びてその外端を炎口に構成したガス通路を有するコンロバーナに於いて、該バーナヘッドを、該ガス通路の上方を開放したバーナヘッド本体とこれに載置されて該ガス通路の上方の開放部を塞ぐバーナキャップでとで構成し、該バーナヘッド本体の外周部の全周に、その炎口の下方から外周方向へ進出する進出部を設けてその上面に外周方向へ向かって下方に傾斜した傾斜面を形成し、該傾斜面に各炎口の外周方向に対向する位置のみに該炎口から噴出する空気混合ガスの流れを押し上げる突起を一体成形で形成した。また、該バーナキャップに、該突起の上方を覆う庇部を設けておくことにより、清掃が一層容易になる。
【０００６】
【発明の実施の形態】
図面に基づき本発明の実施の形態を説明すると、図２に於いて、符号１は、板金製のバーナボディ２と、これの開口部３に着脱自在に取り付けられた円筒状の鍛造物や鋳造物からなる金属ブロック製のバーナヘッド４とで構成されたコンロバーナを示す。該バーナヘッド４の内部には、該バーナボディ２の内部へ連通して空気混合ガスを一様な圧力分布とする環状の分布室５と、該分布室５から該バーナヘッド４の外周へ放射状に延びたガス通路６が形成され、各ガス通路６の外端を炎口７に構成した。
【０００７】
こうした構成は従来のコンロバーナと特に変わりがなく、該炎口７から噴き出す空気混合ガスに点火されて燃焼するが、このときのリフト炎の発生を抑制するため、該バーナヘッド４を、該ガス通路６の上方が図３のように開放部８により開放されたバーナヘッド本体４ａと、該バーナヘッド本体４ａに載せられて該開口部８を塞ぐバーナキャップ４ｂとで構成し、その本体４ａに、該炎口７の外周方向に対向して該炎口７から噴出する空気混合ガスの流れを押し上げる突起１１を一体成形で形成した。該突起１１の幅は、該炎口７から噴き出す空気混合ガスを押し上げ得る幅、例えば炎口７と同幅に形成される。
【０００８】
該炎口７の下方から外周方向へ進出する進出部９を設け、該進出部９の上面に外周方向へ向かって下方に傾斜した傾斜面１０を形成し、該傾斜面１０に該突起１１を形成しておくことで、該傾斜面１０に煮汁などの液体が滴下しても、該傾斜面１０は炎口７の外周下方に傾斜しているので、ガス通路６内へ液体が浸入しにくく、該傾斜面１０や突起１１が汚れてもバーナヘッド本体４ａを外して清掃することができ、ガス通路６内の汚れも同時に清掃できる。該突起１１により、炎口７から噴き出す空気混合ガスの噴出速度が低下し、リフト炎の発生が抑制される。また、該突起１１により弱火力時の２次空気の供給が抑えられ、炎口７と突起１１間のガス濃度の濃い混合ガスの燃焼により安定した火炎が保たれ、絞り機能すなわち絞り比が向上すると共に、火炎の角度が上昇し、加熱効率が高められる。尚、該バーナキャップ４ｂに、該突起１１の上方を覆う庇部１２を設けておくことにより、煮汁等が該傾斜面１０や突起１１にかかることを防止でき、清掃間隔を長くすることができる。
【０００９】
図２に示す構成のコンロバーナ１の作動を説明すると、バーナボディ２からバーナヘッド４の分布室５へ流入した空気混合ガスはガス通路６の炎口７から噴出して燃焼するが、該バーナヘッド４がガス通路６の上方に開放部８を有するバーナヘッド本体４ａと、該開放部８を塞ぐ該バーナキャップ４ｂとに分割構成され、該炎口７の外周側には傾斜面１０を備えた進出部９を設けてその外周端に空気混合ガスの流れを押し上げる突起１１を一体に成形したので、製作が容易で炎口７と突起１１の位置関係が正確になり、耐久性も良く、ガスの噴出速度を減速してリフト炎を抑制すると共に２次空気の供給が抑えられて絞り性能が向上し、火炎角度が上向きとなって熱効率が向上する。また、煮汁等は傾斜面１０を伝ってバーナヘッド４の外部へ排除されるから汚れにくく清掃が容易になる。該突起１１の形状は、四角柱状に限らず球状であってもよい。
【００１０】
【発明の効果】
以上のように本発明のものによれば、バーナヘッドを、ガス通路の上方を開放したバーナヘッド本体と、その開放部を塞ぐバーナキャップとで構成し、バーナヘッド本体に、炎口の外周方向に対向して該炎口から噴出する空気混合ガスの流れを押し上げる突起を一体成形で形成したので、リフト炎の抑制と絞り性能を向上させる突起を煮汁等により汚れにくくなるように設けることができ、その清掃もバーナヘッド本体を外して簡単に行え、突起をバーナヘッド本体に一体成形したので、炎口との位置関係が正確でしかも頑丈な突起を容易に製作できる等の効果がある。また、該突起を炎口の下方から外周方向へ進出する進出部の上面に形成した傾斜面に設けたり、該バーナヘッドに突起を覆う庇部を設けることで突起を一層汚れにくくできる。
【図面の簡単な説明】
【図１】従来のコンロバーナの截断側面図
【図２】本発明の実施の形態を示す截断側面図
【図３】図２のバーナヘッド本体の要部の斜視図
【符号の説明】
１  コンロバーナ、２  バーナボディ、３  開口部、４  バーナヘッド、４ａ  バーナヘッド本体、４ｂ  バーナキャップ、５  分布室、６  ガス通路、７  炎口、８  開放部、９  進出部、１０  傾斜面、１１  突起、１２  庇部、
【図１】
0003730127.tif 000002
【図２】
0003730127.tif 000003
【図３】
0003730127.tif 000004